(57)【要約】【課題】  画像処理装置において、画像入力の際に適正な入力解像度が設定されていない場合には、入力画像に文字のつぶれ、ゆがみが発生し、その後前記入力画像からデジタルデータを生成し、ＯＣＲ処理を行なっても、正しい文字が抽出されない、といった問題があった。【解決手段】  適正解像度判定部１０４０を設け、ＯＣＲ処理後の文字コードから適正な入力解像度で画像入力が行なわれたかを判定する。また、入力画像に対して適正な入力解像度を決定する適正解像度決定部１０６０を設けることにより適正入力解像度を取得する。  適正解像度判定部１０４０によって、入力解像度の設定に問題があると見なされた場合には、警報を出したり、前記適正入力解像度で再度画像入力を促したり、もしくは、画像処理部１０７０にて入力画像の解像度を適正入力解像度に変換することにより、適正な解像度の画像を効率的に得ることができる画像処理装置が提供可能となる。【選択図】  図３
2008244545.tif 000002
【特許請求の範囲】
【請求項１】
入力解像度を設定可能な操作部と、
前記入力解像度で画像情報を入力する画像入力部と、
前記画像入力部で入力された入力画像情報に基づいて、前記入力解像度が適正であることを判定する適正解像度判定部と、
を有することを特徴とする画像処理装置。
【請求項２】
入力解像度を設定可能な操作部と、
前記入力解像度で画像情報を入力する画像入力部と、
前記画像入力部で入力された入力画像情報に基づいて文字コードを出力する出力部と、
前記文字コードに基づいて、前記入力解像度が適正であることを判定する適正解像度判定部と、
を有することを特徴とする画像処理装置。
【請求項３】
前記適正解像度判定部が、前記入力解像度を適正ではないと判定したときに、前記入力解像度が適正ではない旨を報知する警告表示部と、
を更に有することを特徴とする請求項１または請求項２に記載の画像処理装置。
【請求項４】
前記適正解像度判定部が、前記入力解像度を適正ではないと判定したときに、適正解像度を提案する適正解像度提案部
を有することを特徴とする請求項１乃至請求項３のいずれか一に記載の画像処理装置。
【請求項５】
前記入力画像情報から生成されたデジタルデータに基づいて前記入力画像情報の適正解像度を決定する適正解像度決定部と、
前記適正解像度判定部が、前記入力解像度は適正ではないと判定し、且つ前記適正解像度が前記入力解像度より小さい場合には、前記デジタルデータの解像度を前記適正解像度に変換する処理を施す画像変換部と、
を更に有することを特徴とする請求項１乃至請求項３のいずれか一に記載の画像処理装置。
【請求項６】
前記画像入力部は、前記適正解像度判定部が、前記入力解像度は適正ではないと判定したときで、且つ前記適正解像度が前記入力解像度より大きい場合には、前記適正解像度で再度画像入力を行なうことを特徴とする請求項１乃至請求項３のいずれか一に記載の画像処理装置。
【請求項７】
前記操作部により設定された設定解像度より大きな解像度で、前記画像入力部に画像を入力させる機能を持つ制御部
を有することを特徴とする請求項５または請求項６に記載の画像処理装置。
【請求項８】
前記操作部により設定された設定解像度より大きな解像度で、前記画像入力部に画像を入力させる機能を持つ制御部を更に有し、
前記画像変換部は、前記入力解像度が前記適正解像度より大きな場合には前記デジタルデータの解像度を前記入力解像度に変換する機能
を更に有することを特徴とする請求項５に記載の画像処理装置。
【発明の詳細な説明】
【技術分野】
【０００１】
本発明は、例えばスキャナ等の画像処理装置に関するものである。
【背景技術】
【０００２】
デジタル技術の発達と共に、多くの文書がデジタル化されている。その中でも、原稿をスキャンして電子化する動きが多く見受けられる。この際に、スキャンした文章を画像データではなく、テキストデータに変換するといったＯＣＲ処理を施し、ユーザに使いやすい電子データを提供する技術も発達してきており、更にユーザに使いやすく効率的な画像処理技術が望まれている。
効率的な画像入力の為には、読み取り原稿の１枚目に、専用のマークシートやバーコードのある原稿やＯＣＲシートを読み込ませ、これらに含まれる文字情報に基づき、２枚目以降の原稿本稿の読み取りモードを決定する例がある（例えば、特許文献１）。
【特許文献１】特開２００２−３５４２１２号公報
【発明の開示】
【発明が解決しようとする課題】
【０００３】
しかしながら、原稿の１枚目に、専用のマークシートやバーコードのある原稿やＯＣＲシートを読み込ませる際には、ユーザが最適と判断した解像度や読み取りモードを前記マークシート等に反映させる必要がある。このとき、ユーザが適正な解像度の決定をしなければならない為、判断が難しい場合があるだけでなく、手間のかかる作業であった。
更に、適正な入力解像度が設定されていない場合には、入力画像に文字のつぶれ、ゆがみが発生し、ＯＣＲ処理を行なっても、正しい文字が抽出されない、といった問題があった。
本発明は上記問題を解決するためになされたものであり、適正な解像度での画像入力が可能な画像処理装置を提供することを目的とする。
【課題を解決するための手段】
【０００４】
上記目的を達成するために、入力解像度を設定可能な操作部と、前記入力解像度で画像情報を入力する画像入力部と、前記画像入力部で入力された入力画像情報に基づいて、前記入力解像度が適正であることを判定する適正解像度判定部と、を有することを特徴とする。
【発明の効果】
【０００５】
本発明によれば、適正な解像度での画像入力が可能な画像処理装置を提供することが可能となる。
【発明を実施するための最良の形態】
【０００６】
以下、本発明を実施するための最良の形態について図面を参照しながら説明する。
【実施例１】
【０００７】
図１は、本発明の実施例１に係る画像処理装置の構成図である。
本実施例に係る画像処理装置は、原稿を入力する画像入力部１０２０と、前記画像入力部に入力された情報を基に、文字コードを出力する出力部１０３０と、適正解像度判定部１０４０と、画像入力時の解像度を設定するような各種操作や警報などの表示を行なう操作部１０１０と、画像処理装置全体を制御する制御部１０００と、から構成されている。
【０００８】
画像入力部１０２０としては、例えばスキャナがあり、紙原稿やデジタル画像等の、原稿（Ａ）を入力して、指定された解像度のデジタルデータ（Ｂ）を出力する。また、ＰＣ等の外部接続機器からの指令に基づいて入力を受け付け、指定された解像度のデジタルデータ（Ｂ）を出力することも可能である。
【０００９】
続いて出力部１０３０は、前記デジタルデータ（Ｂ）に基づいて、文字コード（Ｃ）を出力する。適正解像度判定部１０４０は、この文字コード（Ｃ）の情報から、入力時に設定された解像度が適正であるか否かを判定する。
【００１０】
図２は本発明の実施例１に係る文字コードの変換例である。
出力部１０３０で変換された文字コード（Ｃ）は、適正解像度判定部１０４０へと入力される。
ここで、文字コード（Ｃ）は、原稿に対して適正に変換された場合については文字コード「（Ｃ１）」と表現し、原稿に対して適正に変換されなかった場合については文字コード「（Ｃ２）」と表現する。
【００１１】
適正解像度判定部１０４０では、これらの文字コード（Ｃ１）、もしくは文字コード（Ｃ２）について、適正に文字が認識できるか否かを基準に解像度判定を行なう。
例えば、図２の文字コード（Ｃ１）のように、意味のある文字列もしくは規則性のある文字列が並んでいる場合には、適正に文字が認識できると判定され、現在の入力解像度で問題無く画像入力が行なわれているものと見なされる。
【００１２】
また、例えば図２の画像文字コード（Ｃ２）のように、意味のある文字列、あるいは、規則性のある文字列が並んでいない場合には、文字が認識できないと判定され、現在の入力解像度では問題があるものと見なされる。
【００１３】
これらの文字コード（Ｃ１）、もしくは文字コード（Ｃ２）が操作部（例えばコントロールパネル）１０１０に表示され、それを操作者が見て適正な解像度で画像入力が行なわれているか否かを判断し、操作部で選択することができる。適正な解像度で画像入力が行なわれていると判断した場合、操作部にてＹｅｓを選択することにより、そのままの解像度で画像入力が行なわれる。
【００１４】
また、適正な解像度で画像入力が行なわれていないと判断した場合、操作部にてＮｏを選択し、その後再度画像入力の解像度を設定し直してから、画像入力を再度行なわせる。
【実施例２】
【００１５】
続いて本発明の第２の実施例について、図３に基づいて説明する。なお、本発明の実施例１において示した部分と同一部分は同一符号を用いて示し、説明も省略する。（以下の実施例においても順次同様とする。）
【００１６】
図３は、本発明の実施例１に係る画像処理装置の適正解像度判定部１０４０のフローチャートである。
出力部１０３０で変換された文字コード（Ｃ）は、適正解像度判定部１０４０へと入力される。
ここで、文字コード（Ｃ）は、原稿に対して適正に変換された場合については文字コード「（Ｃ１）」と表現し、原稿に対して適正に変換されなかった場合については文字コード「（Ｃ２）」と表現する。
【００１７】
適正解像度判定部１０４０では、これらの文字コード（Ｃ１）、もしくは文字コード（Ｃ２）について、適正に文字が認識できるか否かを基準に解像度判定を行なう。
例えば、図２の文字コード（Ｃ１）のように、意味のある文字列もしくは、規則性のある文字列が並んでいる場合には、適正に文字が認識できると判定され、現在の入力解像度で問題無く画像入力が行なわれているものと見なされる。
【００１８】
また、例えば図２の画像文字コード（Ｃ２）のように、意味のある文字列、あるいは、規則性のある文字列が並んでいない場合には、文字が認識できないと判定され、現在の入力解像度では問題があるものと見なされ、これらの判定は、ＯＣＲを用いた既知の方法に基づいて制御部が行なっている。
【００１９】
現在の入力解像度では問題があるものと見なされた、場合警報表示部１０４１にて、例えば図３の「＃１」に示されるような“文字が読めない可能性があります”、といった警報表示が行なわれる。または、適正解像度提案部１０４２にて、例えば図３の「＃２」に示されるような“解像度を３００dpiにしてはどうですか？”といった提案が行なわれる。更には、警報表示と適正解像度の提案が同時に行なわれても構わない。
【００２０】
ここで、上記の警報表示は、当該画像処理装置上の操作部上で行なっても構わないし、当該画像処理装置とネットワークで接続された不図示のパーソナルコンピュータ上で行なっても構わない。
同様に、適正解像度の提案は、当該画像処理装置上の操作部上で行なっても構わないし、当該画像処理装置とネットワークで接続された不図示のパーソナルコンピュータ上で行なっても構わない。
操作者は、これらの警報や適正解像度の提案を見て、画像入力の解像度を決定の上、再度画像入力を行なうことが可能である。
【実施例３】
【００２１】
続いて本発明の実施例３について、図４に基づいて説明する。図４は本発明の実施例３に係る画像処理装置の適正解像度判定部の詳細図である。適正解像度判定部１０４０にて、現在の入力解像度では問題があるものと見なされた場合には、適正な入力解像度を決定する適正解像度決定部１０６０が決定した適正解像度と入力解像度が比較される。この適正解像度が入力解像度を上回る場合には、入力時の解像度が低かったために入力画像情報が不足し、適正なＯＣＲ処理が行なわれなかったものと考えられるため、適正解像度で再度画像入力を行なう。この際、画像入力部として、ＡＤＦが用いられている場合、自動でＡＤＦが再開するような方法で再度の画像入力を自動で行なっても構わないし、またプラテンガラス上に載せられた原稿を入力している場合には、プラテンガラスのカバーが開けられたかどうかを検知して、プラテンガラスのカバーが開けられていない場合に自動に画像入力が再度行なうことが可能である。
【００２２】
また、再度画像入力が自動で行なわれない場合には、ユーザに対して、適正解像度にて再度画像入力を行なうよう報知する方法を取っても構わない。
また、現在の入力解像度では問題があるものと見なされた場合で、且つ適正解像度が入力解像度を下回っているときには、画像処理部１０７０が、デジタルデータを適正解像度に変換し、解像度を下げる処理を行なう。これは、画像入力時には、入力解像度が高ければ高いほど良いという訳ではなく、例えば必要以上に高い入力解像度が選択されていると、かえってＯＣＲ処理後の識字率が下がることがあるためである。
【実施例４】
【００２３】
続いて本発明の実施例４について、図５および図６に基づいて説明する。
図５は本発明の実施例４に係る画像処理装置の構成図である。当該画像処理装置は、任意の解像度を設定する操作部１０１０と、画像を入力する画像入力部１０２０と、前記操作部により設定された設定解像度より大きな解像度で、画像入力部１０２０に画像を入力させる機能を持つ図示しない制御部と、適正解像度決定部１０６０と、
前記デジタルデータに対し前記適正解像度に変換する画像処理を施す画像処理部１０７０と、から構成される。
【００２４】
図６は、本発明の実施例４に係る画像処理部の詳細図である。
従来であれば、画像入力部は、操作部１０１０で設定された解像度で画像を入力するが、ユーザによって設定された入力解像度は、必ずしも適正な解像度とは限らない。この為、画像入力しても、正しい文字や画像として認識されない場合があり、再度入力解像度を変更して入力し直すことがあった。
【００２５】
しかし、本実施例では、設定された解像度より高い入力解像度を用いて画像入力を行なうよう、図示されない制御部から画像入力部１０２０へと指令が出され、適正解像度決定部１０６０に決定される適正解像度より高い入力解像度で画像入力が行なわれる。
上記のような画像入力を行なうと、入力解像度が適正解像度を上回る状態となるため、その後、画像変換部１０７０の処理により、適正な解像度のデジタルデータを得ることができる。従って、再度画像入力をし直す必要が無くなり、ユーザは効率よく適切な解像度の画像を得ることができる。
【００２６】
また、ユーザの設定した入力解像度が適正解像度よりも低いときには、画像処理部１０７０はデジタルデータを適正解像度に変換し、また、ユーザの設定した入力解像度が適正解像度よりも高いときには、画像処理部１０７０がデジタルデータの解像度を入力解像度に変換する機能を持たせることも可能である。これは、ユーザが必要とする、高い解像度のデジタルデータを得られるようにする為である。
【図面の簡単な説明】
【００２７】
【図１】本発明の実施例１に係る画像処理装置の構成図
【図２】本発明の実施例１に係る画像処理装置の適正解像度判定部の詳細図
【図３】本発明の実施例２に係る画像処理装置の適正解像度判定部の詳細図
【図４】本発明の実施例３に係る画像処理装置の構成図
【図５】本発明の実施例４に係る画像処理部の詳細図
【図６】本発明の実施例４に係る画像処理部の詳細図
【符号の説明】
【００２８】
１０００  制御部  
１０１０  操作部  
１０２０  画像入力部  
１０３０  出力部  
１０４０  適正解像度判定部  
１０４１  警報表示部  
１０４２  推奨解像度提案部  
１０６０  適正解像度決定部  
１０７０  画像処理部  
【図１】
2008244545.tif 000003
【図２】
2008244545.tif 000004
【図３】
2008244545.tif 000005
【図４】
2008244545.tif 000006
【図５】
2008244545.tif 000007
【図６】
2008244545.tif 000008